(57)【要約】【課題】本発明は、各種スイングの誤りとヘッドアップ矯正機能を有するゴルフ専用メガネを提供する。【解決手段】本発明によると、メガネに着脱されるゴルフカラー焦点構造体を利用して制限された視野のゴルフカラー焦点調節円を形成することによって、ゴルファーによく発生する各種スイングの誤りとヘッドアップの認知及び矯正を可能にする。また、本発明によれば、ゴルフカラー焦点調節円の制限された視野を利用して、ゴルフスイングを演習することによって、ゴルファーは、ゴルフボールに視線をより集中でき、ゴルフカラー焦点調節円からゴルフボールが離れる瞬間各種スイングの誤りとヘッドアップされたことをゴルファー自ら認知して姿勢を矯正できるようにし、ゴルフの初心者からプロに至るまで誰でもが低費用で便利に利用することができる。【選択図】図１
2014527872.tif 000002
【特許請求の範囲】
【請求項１】
メガネにおいて、
メガネフレームの左眼と右眼のうち少なくともいずれか一つに設置され、ゴルフスイングを練習するゴルファーのヘッドと視線及び体の動きにより姿勢が乱れる各種スイングの誤りとヘッドアップをゴルファー自身が認知できるようにゴルフカラー焦点調節円を形成するゴルフカラー焦点構造体をさらに含み、
前記ゴルフカラー焦点構造体は、
前面と後面が開放された中空状の外筒と、前記外筒の内部に設置される中空状の内筒を含む構造体ハウジング、及び
前記構造体ハウジングの前面側に着脱可能に締結される焦点調節レンズ体を含むことを特徴とする、各種スイングの誤りとヘッドアップ矯正機能を有するゴルフ専用メガネ。
【請求項２】
前記ゴルフカラー焦点構造体は、
前記メガネフレームとの連結部分で上下左右３６０度に動くことを特徴とする、請求項１に記載の各種スイングの誤りとヘッドアップ矯正機能を有するゴルフ専用メガネ。
【請求項３】
前記ゴルフカラー焦点構造体は、
メガネフレームの左眼と右眼のうちいずれか一つに形成された締結部材と着脱可能に締結できるメガネ締結部をさらに含み、
前記ゴルフカラー焦点構造体が締結されなかったメガネフレームの左眼と右眼のうち他の一つにはレンズと、前記レンズをカバーして開閉が可能なブラインドレンズの二重レンズで構成されることを特徴とする、請求項１または２に記載の各種スイングの誤りとヘッドアップ矯正機能を有するゴルフ専用メガネ。
【請求項４】
前記メガネ締結部は、
前記メガネフレームの締結部材に対応する構成であり、接着式のベルクロ締結方式、ねじ結合の締結方式、及び締まりばめの締結方式のうちいずれか一つの構造で構成されることを特徴とする、請求項３に記載の各種スイングの誤りとヘッドアップ矯正機能を有するゴルフ専用メガネ。
【請求項５】
前記構造体ハウジングは、
前記外筒の内部に設置される前記内筒が前方に向かって引出し可能に構成され、
前記焦点調節レンズ体は、前記内筒の前方引出しにより締結された状態で連動して前方に向かって引出されることを特徴とする、請求項１または２に記載の各種スイングの誤りとヘッドアップ矯正機能を有するゴルフ専用メガネ。
【請求項６】
前記焦点調節レンズ体は、
前記構造体ハウジングの前面で着脱可能に締結される構造体締結部を備えるレンズ体ハウジング、及び
前記レンズ体ハウジングの前面に設置されてゴルフカラー焦点調節円を形成する焦点調節レンズを含み、
前記焦点調節レンズは、
レンズの径中心から放射状の枠に向かって一つ以上のカラーを含む多色レンズで構成されることを特徴とする、請求項１または２に記載の各種スイングの誤りとヘッドアップ矯正機能を有するゴルフ専用メガネ。
【請求項７】
前記焦点調節レンズ体は、
前記構造体ハウジングと対応する形状で円形、楕円形、及び角ばった多角形のうち一つで構成され、
前記焦点調節レンズは、前記焦点調節レンズ体の形状に対応する形態で構成されることを特徴とする、請求項６に記載の各種スイングの誤りとヘッドアップ矯正機能を有するゴルフ専用メガネ。
【請求項８】
前記焦点調節レンズは、
光の量を調節できる絞り方式のレンズで構成され、前記焦点調節レンズ体に脱・付着することを特徴とする、請求項６に記載の各種スイングの誤りとヘッドアップ矯正機能を有するゴルフ専用メガネ。
【請求項９】
前記焦点調節レンズ体は、
前記焦点調節レンズが形成された外側内鏡に光を発光するＬＥＤ光源をさらに含んで構成することを特徴とする、請求項６に記載の各種スイングの誤りとヘッドアップ矯正機能を有するゴルフ専用メガネ。
【発明の詳細な説明】
【技術分野】
【０００１】
本発明は、ゴルフ専用メガネに関し、より具体的にはメガネの左眼と右眼のうち少なくともいずれか一つに着脱が可能に設置されるゴルフカラー焦点構造体によって形成されるゴルフカラー焦点調節円を利用して、ゴルフスイングを練習できるようにして、初めにアドレス姿勢のスイングを始めて、フィニッシュ動作が完成される時まで瞳にボールが鮮明に入ってくるようにして、各種スイングの誤りを最小化する、各種スイングの誤りとヘッドアップ矯正機能を有するゴルフ専用メガネに関するものである。
【背景技術】
【０００２】
ゴルフは、他のスポーツに比べて正しい姿勢が特に強調される運動である。ゴルフにおいて最も基本となる動作中一つは、可能であれば元の位置を保持して回転しながらスイングができるかである。このようなスイング動作は、一貫性の維持が重要である。練習を数万回やっても視線がボールから離れたり、中心点である頭が上下左右に動いたりするとプロゴルファーといってもゴルフの核心である一貫性を維持することは難しい。
【０００３】
従って、バックスイング時に視線が離れたり、頭が上下左右に動いたり、体自体が移動したりすると各種スイングのエラーが生じるため、本人が直接目で確認しながら練習することができるようにならないと、スイングの誤りを最小化しながら一貫性を維持できない。また、インパクトの瞬間、ヘッドアップになる基本的なスイングの誤りも本人自ら目で確認しながら練習できると最善の方法といえる。
【０００４】
人の視野は比較的幅が広いため、ある程度首を回した場合にもボールが見える。従って、多くのゴルファーは、ボールを打つ前のバックスイング時から視線や首を先に回す傾向があって、スイング姿勢の軸が乱れやすいため、ボールを正確に打つことができない問題があった。即ち、人には二つの目があって焦点も二つがある。ゴルフボールを見つめていても、自分が動いていることが認識できない。この場合、ビデオで撮影して比較分析しない限り教えているゴルフコーチもゴルファーの視線がどこにあるのか正確に分からないため、ビデオ装備を使って確認して、中心点が上下左右に移動することや事前にヘッドアップされる現象を矯正する。
【０００５】
ゴルファーに最もよく発生する各種スイングの誤りであるバックスイング時に視線が離れたり頭が上下に動いたり頭が移動したり体が動いたり、またはインパクトが行われる前に事前にヘッドアップをしたりする現象が矯正されずには一貫性を維持できないため、一生初心者レベルに留まってしまう。
【０００６】
また、目は脳のような役割をする。目は脳を介して人の神経と筋肉に連結されている。
従って、ボールが瞳に鮮明に映ると人の神経と筋肉が目を介して予め動く準備をする。
【発明の概要】
【発明が解決しようとする課題】
【０００７】
本発明は、従来に提案された方法の前記問題点を解決するために提案されたもので、本発明の第一の目的は、メガネに着脱されるゴルフカラー焦点構造体を利用して、制限された視野のゴルフカラー焦点調節円を形成することによって、ゴルファーによく発生する各種スイングの誤り及びヘッドアップの矯正が可能となる、各種スイングの誤りとヘッドアップ矯正機能を有するゴルフ専用メガネを提供することである。
【０００８】
また、本発明の第二の目的は、ゴルフカラー焦点調節円の制限された視野を利用して、ゴルフスイングを演習することによって、ゴルファーはゴルフボールに視線をより集中することができ、ゴルフカラー焦点調節円からゴルフボールが離れる瞬間、各種スイングの誤りとヘッドアップされることをゴルファー自ら認知して姿勢を矯正できるようにし、ゴルフの初心者からプロに至るまで誰でも低費用で便利に利用できるようにする、各種スイングの誤りとヘッドアップ矯正機能を有するゴルフ専用メガネを提供することである。
【課題を解決するための手段】
【０００９】
前記目的を達成するための本発明の特徴による各種スイングの誤りとヘッドアップ矯正機能を有するゴルフ専用メガネは、メガネにおいて、メガネフレームの左眼と右眼のうち少なくともいずれか一つに設置され、ゴルフスイングを練習するゴルファーのヘッドと視線及び体の動きにより姿勢が乱れる各種スイングの誤りとヘッドアップをゴルファー自身が認知できるように、ゴルフカラー焦点調節円を形成するゴルフカラー焦点構造体をさらに含み、前記ゴルフカラー焦点構造体は、前面と後面が開放された中空状の外筒と、前記外筒の内部に設置される中空状の内筒を含む構造体ハウジング、及び前記構造体ハウジングの前面側に着脱できるように締結される焦点調節レンズ体を含むことをその構成上の特徴とする。
【００１０】
好ましくは、前記ゴルフカラー焦点構造体は、前記メガネフレームとの連結部分で上下左右３６０度に動けるよう構成されてもよい。
【００１１】
好ましくは、前記ゴルフカラー焦点構造体は、メガネフレームの左眼と右眼のうち少なくともいずれか一つに形成された締結部材と着脱可能に締結できるメガネ締結部をさらに含み、前記ゴルフカラー焦点構造体が締結されなかったメガネフレームの左眼と右眼のうち他の一つには、レンズと、前記レンズをカバーして開閉可能なブラインドレンズの二重レンズで構成されてもよい。
【００１２】
より好ましくは、前記メガネ締結部は、前記メガネフレームの締結部材に対応する構成で、接着式のベルクロ締結方式、ねじ結合の締結方式、及び締まりばめの締結方式のうちいずれか一つの構造で構成してもよい。
【００１３】
好ましくは、前記構造体ハウジングは、前記外筒の内部に設置される前記内筒が前方に向かって引出し可能に構成され、前記焦点調節レンズ体は、前記内筒の前方への引出しにより締結された状態で連動して前方に向かって引出されることができる。
【００１４】
好ましくは、前記焦点調節レンズ体は、前記構造体ハウジングの前面で着脱可能に締結される構造体締結部を備えるレンズ体ハウジング及び前記レンズ体ハウジングの前面に設置されて、ゴルフカラー焦点調節円を形成する焦点調節レンズを含み、前記焦点調節レンズは、レンズの径中心から放射状の枠に向かって一つ以上のカラーを含む多色レンズで構成してもよい。
【００１５】
より好ましくは、前記焦点調節レンズ体は、前記構造体ハウジングと対応する形状で円形、楕円形、及び角ばった多角形中一つで構成され、前記焦点調節レンズは、前記焦点調節レンズ体の形状に対応する形態で構成してもよい。
【００１６】
より好ましくは、前記焦点調節レンズは、光の量を調節できる絞り方式のレンズで構成され、前記焦点調節レンズ体に脱・付着することができる。
【００１７】
より好ましくは、前記焦点調節レンズ体は、前記焦点調節レンズが形成された外側鏡に光を発光するＬＥＤ光源をさらに含んで構成してもよい。
【発明の効果】
【００１８】
本発明によると、メガネに着脱されるゴルフカラー焦点構造体を利用して制限された視野のゴルフカラー焦点調節円を形成することによって、ゴルファーによく発生する各種スイングの誤り及びヘッドアップの矯正を可能にする。
【００１９】
また、本発明によると、ゴルフカラー焦点調節円の制限された視野を利用してゴルフスイングを演習することによって、ゴルファーはゴルフボールに視線をより集中することができ、ゴルフカラー焦点調節円からゴルフボールが離脱する瞬間、スイングの各種の誤りが生じることを認識でき、また、ヘッドアップされたことをゴルファー自ら認知して姿勢を矯正でき、ゴルフの初心者からプロに至るまで誰でも低費用で便利に利用できる。
【図面の簡単な説明】
【００２０】
【図１】本発明の一実施形態に係る各種スイングの誤りとヘッドアップ矯正機能を有するゴルフ専用メガネの斜視図を示した図面である。
【図２】本発明の一実施形態に係る各種スイングの誤りとヘッドアップ矯正機能を有するゴルフ専用メガネにおいて、ゴルフカラー焦点構造体の一例を示した図面である。
【図３】本発明の一実施形態に係る各種スイングの誤りとヘッドアップ矯正機能を有するゴルフ専用メガネにおいて、焦点調節レンズの構成を示した図面である。
【図４】本発明の一実施形態に係る各種スイングの誤りとヘッドアップ矯正機能を有するゴルフ専用メガネにおいて、焦点調節レンズ体の形態を示した図面である。
【図５】本発明の一実施形態に係る各種スイングの誤りとヘッドアップ矯正機能を有するゴルフ専用メガネにおいて、焦点調節レンズ体の他の一例を示した図面である。
【図６】本発明の一実施形態に係る各種スイングの誤りとヘッドアップ矯正機能を有するゴルフ専用メガネの着用状態を示した図面である。
【図７】本発明の一実施形態に係る各種スイングの誤りとヘッドアップ矯正機能を有するゴルフ専用メガネを着用したゴルファーのゴルフカラー焦点調節円の視野を示した図面である。
【発明を実施するための形態】
【００２１】
以下、添付図面を参照して本発明が属する技術分野において通常の知識を有する者が本発明を容易に実施できるように好ましい実施形態を詳細に説明する。ただし、本発明の好ましい実施形態を詳細に説明するにあたり、関連した公示機能または構成に関する具体的な説明が本発明の要旨を曖昧にすると判断される場合にはその詳細な説明を省略する。また、類似機能及び作用をする部分に関しては図面全体に亘って同一符号を使う。
【００２２】
また、明細書全体において、ある部分が他の部分と「連結」されているとする時、これは「直接的に連結」されている場合だけでなく、その中間に他の素子を間に置いて「間接的に連結」されている場合も含む。また、ある構成要素を「含む」とは、特に反対の記載がない限り他の構成要素を除外するのではなく、他の構成要素をさらに含むことができることを意味する。
【００２３】
図１は、本発明の一実施形態に係る各種スイングの誤りとヘッドアップ矯正機能を有するゴルフ専用メガネの斜視図を示した図面である。図１に示したように、本発明の一実施形態に係る各種スイングの誤りとヘッドアップ矯正機能を有するゴルフ専用メガネは、メガネフレーム１０の左眼と右眼のうち少なくともいずれか一つに設置されるゴルフカラー焦点構造体１００をさらに含み、ゴルフカラー焦点構造体１００は、構造体ハウジング１１０、及び焦点調節レンズ体１２０を含んで構成できる。
【００２４】
ゴルフカラー焦点構造体１００は、メガネフレーム１０の左眼と右眼のうち少なくともいずれか一つに設置され、ゴルフスイングを練習するゴルファーのヘッドや視線の動きにより姿勢が乱れる各種スイングの誤りとヘッドアップをゴルファー自身が認知できるようにゴルフカラー焦点調節円４０(図７参照)を形成する。この時、ゴルフカラー焦点構造体１００が締結されなかったメガネフレーム１０の左眼と右眼のうち他の一つにはレンズ３０と、レンズ３０をカバーして開閉できるブラインドレンズ３１の二重レンズで構成できる。ここで、レンズ３０はユーザーの視力度数に合わされた通常の眼鏡レンズを意味し、ブラインドレンズ３１は、本発明の一実施形態に係る各種スイング誤り及びヘッドアップ矯正機能を有するゴルフ専用メガネでユーザーの片方視野を遮るためのブラックレンズ(不透明レンズ)である。本発明の一実施形態に係る各種スイングの誤りとヘッドアップ矯正機能を有するゴルフ専用メガネは、ユーザーが着用できるテンプル２０を含む。本発明におけるテンプル２０は、通常のメガネに採用される構造を含み、その他にもデザイン的な美感を考慮したゴムバンドと、ベルクロ付き面帯状等多様な適用が可能である。本発明に係る各種スイングの誤りとヘッドアップ矯正機能を有するゴルフ専用メガネに適用されるゴルフカラー焦点構造体１００は、メガネフレーム１０に装着された状態で、上下左右３６０度動けるように構成される。即ち、前記ゴルフカラー焦点構造体１００と締結されるメガネフレーム１０の連結部分が回動可能な構造で構成されることを意味する。このようなメガネフレーム１０の回動は、ゴルファーが頭を動かさなくても、ゴルフカラー焦点調節円４０の真ん中にゴルフボールが固定されるようにすることができる。
【００２５】
本発明の一実施形態に係る各種スイングの誤りとヘッドアップ矯正機能を有するゴルフ専用メガネは、ゴルフスイングの練習に用いられる場合、ユーザーの片方視野を遮った状態でゴルフカラー焦点構造体１００のゴルフカラー焦点調節円４０を介して制限された視野でゴルフボールを見つめてスイング練習ができるようにすることによって、ゴルフスイング時視線の変化やヘッドアップになる時、ユーザー自ら認知して矯正できるように助ける。
【００２６】
図２は、本発明の一実施形態に係る各種スイングの誤りとヘッドアップ矯正機能を有するゴルフ専用メガネにおいて、ゴルフカラー焦点構造体の一例を示した図面である。
【００２７】
図２に示したように、本発明の一実施形態に係る各種スイングの誤りとヘッドアップ矯正機能を有するゴルフ専用メガネに締結されるゴルフカラー焦点構造体１００は、構造体ハウジング１１０、及び焦点調節レンズ体１２０を含んで構成され、メガネレンズ(図示せず)をさらに含んで構成されてもよい。
【００２８】
構造体ハウジング１１０は、前面と後面が開放された中空状の外筒１１１と、外筒１１１の内部に設置される中空状の内筒１１２を含んで構成できる。外筒１１１の一端にはメガネフレーム１０の左眼と右眼のうち少なくともいずれか一つに形成された締結部材(図示せず)と着脱できるように締結できるメガネ締結部１１３をさらに含む。メガネ締結部１１３は、メガネフレーム１０の締結部材に対応する構成で、メガネに脱・付着可能な接着式のベルクロ締結方式、ねじ結合の締結方式、及び締まりばめの締結方式のうちいずれか一つの構造で構成できる。構造体ハウジング１１０は、外筒１１１の内部に設置される内筒１１２が前方に向かって引出し可能に構成され、後述する焦点調節レンズ体１２０は、内筒１１２の前方引出しにより締結された状態で連動して前方に向かって引出される。
【００２９】
ここで、内筒１１２が引出される長さの変化は、ゴルフメガネのズーム機能の役割をし、内筒１１２の多様な形状構造は、ゴルファーのレベル及びスイング方式により分けて用いられる。図２の(ａ)に示されたゴルフカラー焦点構造体１００は、初心者用であり、ドライバー用として用いられ、図２の(ｂ)は中級者用であり、ショット、ミドルアイアン用として用いられ、図２の(ｃ)はプロ用であり、パット及びショートゲーム用として用いられる。
【００３０】
焦点調節レンズ体１２０は、構造体ハウジング１１０の前面で着脱可能に締結される構造体締結部１２１を備えるレンズ体ハウジング１２２と、レンズ体ハウジング１２２の前面に設置されてゴルフカラー焦点調節円４０を形成する焦点調節レンズ１２３を含んで構成できる。焦点調節レンズ１２３は、レンズの径中心から放射状の枠に向かって一つ以上のカラーを含む多色レンズで構成できる。構造体締結部１２１は、構造体ハウジング１１０の前面に形成される締結部材(図示せず)に対応するねじ結合の締結方式及び締まりばめの締結方式のうちいずれか一つで構成できる。このような多色レンズで構成される焦点調節レンズ１２３は、最も明るくて目にやさしい色が選ばれる。ゴルフボールが円形の中央に位置するように助けるゴルフカラー焦点構造体１００でゴルフカラー焦点調節円４０を形成する焦点調節レンズ１２３は、直径の中心円(透明)を除いた放射状枠のカラーレンズを蛍光材質または夜光材質で構成することができ、また、光を反射するガラス状のプラスチック材質、光を反射するアルミニウム材質、及び高輝度反射の反射シーツなどで構成できる。
【００３１】
図３は、本発明の一実施形態に係る各種スイングの誤りとヘッドアップ矯正機能を有するゴルフ専用メガネにおいて、焦点調節レンズの構成を示した図面である。図３に示したように、本発明の一実施形態に係る各種スイングの誤りとヘッドアップ矯正機能を有するゴルフ専用メガネに適用される焦点調節レンズ１２３は、上述した多色のカラーレンズ方式と異なる一例で、光の量を調節できる絞り方式のレンズである。絞り方式で具現される焦点調節レンズ１２３は、焦点調節レンズ体１２０に脱・付着する多数のレンズで構成できる。図３の(ａ)は、多色レンズタイプを示し、図３の(ｂ)乃至(ｄ)は、絞り方式の多様な一例で、レンズ中心径の大きさだけ異なる。絞り方式の焦点調節レンズ１２３は、レンズ中心の径の大きさによりゴルフカラー焦点調節円４０の視野の大きさが異なり、レンズ中心の径の大きさが小さいほど上級者用であり、ゴルファーの集中力が高度に求められる。
【００３２】
図４は、本発明の一実施形態に係る各種スイングの誤りとヘッドアップ矯正機能を有するゴルフ専用メガネにおいて、焦点調節レンズ体の形態を示した図面である。図４に示したように、本発明の一実施形態に係る各種スイングの誤りとヘッドアップ矯正機能を有するゴルフ専用メガネにおいて焦点調節レンズ体１２０は、構造体ハウジング１１０と大応する形状で円形、楕円形、及び角ばった多角形のうち一つで構成され、焦点調節レンズ１２３は、焦点調節レンズ体１２０の形状に対応する形態で構成できる。ここで、焦点調節レンズ１２３は、焦点調節レンズ体１２０の形態に対応する同一形態で構成されるのが好ましいが、これに制限されず、互いに異なる形態のレンズで構成されてもよい。
【００３３】
図５は、本発明の一実施形態に係る各種スイングの誤りとヘッドアップ矯正機能を有するゴルフ専用メガネにおいて、焦点調節レンズ体の他の一例を図示した図面である。図５に示したように、本発明の一実施形態に係る各種スイングの誤りとヘッドアップ矯正機能を有するゴルフ専用メガネにおいて焦点調節レンズ体１２０は、焦点調節レンズ１２３が形成された外側内鏡に光を発光するＬＥＤ光源１２４をさらに含んで構成してもよい。ＬＥＤ光源１２４は、レーザーポインタ焦点調節機能を有し、光る光源を提供することによって、ゴルファーの神経が分散して目の焦点が乱れるのを防止して視線が集中するように誘導できる。
【００３４】
図６は、本発明の一実施形態に係る各種スイングの誤りとヘッドアップ矯正機能を有するゴルフ専用メガネの着用状態を示した図面であり、図７は、本発明の一実施形態に係る各種スイングの誤りとヘッドアップ矯正機能を有するゴルフ専用メガネを着用したゴルファーのゴルフカラー焦点調節円の視野を示した図面である。図６の(ａ)と(ｂ)は、本発明の一実施形態に係るゴルフカラー焦点構造体１００が構成された各種スイングの誤りとヘッドアップ矯正機能を有するゴルフ専用メガネを着用したゴルファーの側面と正面を各々示す。図７の(ａ)は、各種スイングの誤りとヘッドアップ矯正機能を有するゴルフ専用メガネを着用したゴルファーのゴルフカラー焦点調節円４０が中心から少し離れた状態を示し、図７の(ｂ)は、各種スイングの誤りとヘッドアップ矯正機能を有するゴルフ専用メガネを着用したゴルファーのゴルフカラー焦点調節円４０が中心から右側に大分ずれている状態を示し、図７の(ｃ)は、各種スイングの誤りとヘッドアップ矯正機能を有するゴルフ専用メガネを着用したゴルファーのゴルフカラー焦点調節円４０が中心に位置している状態を示す。即ち、ゴルフカラー焦点調節円４０の中心にスイングを練習するゴルフボールが位置される状態で、ゴルフスイングの練習でも状態が変化しないように演習することによって、ゴルファーに最もよく生じる各種スイングの誤りとヘッドアップが矯正され、一貫性が維持されて、ゴルファーの集中力を向上させることができる。本発明の一実施形態に係る各種スイングの誤りとヘッドアップ矯正機能を有するゴルフ専用メガネにおいて、ゴルフカラー焦点構造体１００が設置されるメガネフレーム１０にはゴルフカラー焦点構造体１００が設置されないメガネのレンズ３０のようなメガネレンズ(図示せず)が構成されてもよい。メガネレンズは、レンズ３０のようなユーザーの視力度数に合う眼鏡レンズで構成してもよい。このようなメガネレンズは、ユーザーの視力度数と合わない眼鏡レンズで構成したり、本発明のゴルフ専用メガネの構成から除外してもよい。
【００３５】
前記本発明の一実施形態に係る各種スイングの誤りとヘッドアップ矯正機能を有するゴルフ専用メガネは、ゴルフカラー焦点調節円を利用した制限された視野を利用することで、ゴルフ練習時に周辺の視線によって神経が分散する副作用を防止することができ、高度な集中力で演習することによって、スイングに一貫性を維持させて強いインパクトを形成して飛距離を伸ばせるように助ける。
【００３６】
以上説明した本発明は、本発明が属する技術分野において通常の知識を有する者によって多様な変形や応用が可能で、本発明に係る技術的思想の範囲は、下記の特許請求の範囲によって定まらなければなら無い。
【符号の説明】
【００３７】
１０        メガネフレーム
１００      ゴルフカラー焦点構造体
１１０      構造体ハウジング
１１１      外筒
１１２      内筒
１１３      メガネ締結部
１２０      焦点調節レンズ体
１２１      構造体締結部
１２２      レンズ体ハウジング
１２３      焦点調節レンズ
１２４      ＬＥＤ光源
２０        テンプル
３０        レンズ
３１        ブラインドレンズ
４０        ゴルフカラー焦点調節円
【図１】
2014527872.tif 000003
【図２（ａ）】
2014527872.tif 000004
【図２（ｂ）】
2014527872.tif 000005
【図２（ｃ）】
2014527872.tif 000006
【図３（ａ）】
2014527872.tif 000007
【図３（ｂ）】
2014527872.tif 000008
【図３（ｃ）】
2014527872.tif 000009
【図３（ｄ）】
2014527872.tif 000010
【図４（ａ）】
2014527872.tif 000011
【図４（ｂ）】
2014527872.tif 000012
【図４（ｃ）】
2014527872.tif 000013
【図４（ｄ）】
2014527872.tif 000014
【図４（ｅ）】
2014527872.tif 000015
【図５】
2014527872.tif 000016
【図６（ａ）】
2014527872.tif 000017
【図６（ｂ）】
2014527872.tif 000018
【図７（ａ）】
2014527872.tif 000019
【図７（ｂ）】
2014527872.tif 000020
【図７（ｃ）】
2014527872.tif 000021
【国際調査報告】
2014527872.tif 000022
2014527872.tif 000023
2014527872.tif 000024
2014527872.tif 000025